(57)【特許請求の範囲】
【請求項１】
表示手段と、
前記表示手段に表示情報を表示する処理を行うようにする表示制御手段と、
ユーザからの発信操作を受け付ける受付手段と、
前記表示手段に表示情報が表示されているときに、前記受付手段を通じて発信操作を受け付けた場合に、前記表示情報に含まれる所定の情報をＳＩＰ（Session Initiation Protocol）におけるインバイト（ＩＮＶＩＴＥ）メッセージのディスプレイネーム（ＤｉｓｐｌａｙＮａｍｅ）に含めて、指示された相手先に対して発信を行う発信処理手段と
を備える電話通信端末であって、
前記表示手段と前記表示制御手段とを備えた表示装置と、前記受付手段と前記発信処理手段とを備えると共に、ネットワークに接続するようにされるベース装置とからなり、
前記表示装置は、
前記ベース装置への接続を可能にする表示装置側接続端部と、
前記ベース装置からの発信操作が行われたことの通知を受け付ける発信通知受付手段と、
前記表示装置側接続端部を通じて前記ベース装置に接続され、前記表示制御手段により前記表示手段に表示情報が表示されているときに、前記発信通知受付手段を通じて前記ベース装置から発信操作が行われたことの通知を受け付けた場合に、前記表示情報に含まれる前記所定の情報を前記ベース装置に提供する通知手段を備え、
前記ベース装置は、
前記表示装置の接続を可能にするベース装置側接続端部と、
前記ベース装置側接続端部を通じて前記表示装置が接続されているときに、前記受付手段を通じて発信操作を受け付けた場合に、発信操作が行われたことの通知を形成して、前記表示装置に提供する発信通知提供手段と、
前記表示装置からの前記所定の情報を受け付ける提供情報受付手段と
を備え、
前記発信処理手段は、前記提供情報受付手段を通じて受け付けた前記表示装置からの前記所定の情報をディスプレイネーム（ＤｉｓｐｌａｙＮａｍｅ）に含めたインバイト（ＩＮＶＩＴＥ）メッセージを形成して発信することを特徴とする電話通信端末。
【請求項２】
請求項１に記載の電話通信端末であって、
前記表示制御手段により前記表示手段に対して、作成した、あるいは、受信した電子メール情報が表示するようにされている場合に、前記ディスプレイネーム（ＤｉｓｐｌａｙＮａｍｅ）に含める前記所定の情報は、当該電子メール情報に含まれる少なくとも件名を含むことを特徴とする電話通信端末。
【請求項３】
ネットワークに接続するようにされるベース装置と、当該ベース装置に対して接続される表示装置とからなる電話通信端末の前記ベース装置であって、
前記表示装置の接続を可能にする接続端部と、
ユーザからの発信操作を受け付ける受付手段と、
前記接続端部を通じて前記表示装置が接続されているときに、前記受付手段を通じて発信操作を受け付けた場合に、発信操作が行われたことの通知を形成して、前記表示装置に提供する発信通知提供手段と、
前記表示装置から提供される表示用の所定の情報を受け付ける提供情報受付手段と、
前記提供情報受付手段を通じて受け付けた前記表示装置からの表示用の前記所定の情報を、ＳＩＰ（Session Initiation Protocol）におけるインバイト（ＩＮＶＩＴＥ）メッセージのディスプレイネーム（ＤｉｓｐｌａｙＮａｍｅ）に含めて、指示された相手先に対して発信を行う発信処理手段と
を備えることを特徴とするベース装置。
【請求項４】
ネットワークに接続するようにされるベース装置と、当該ベース装置に対して接続される表示装置とからなる電話通信端末の前記表示装置に搭載されたコンピュータにおいて実行されるプログラムであって、
接続端部を通じて前記ベース装置に接続され、表示手段に表示情報が表示されているときに、発信通知受付手段を通じて前記ベース装置から発信操作が行われたことの通知を受け付けた場合に、通知手段が、前記表示情報に含まれる所定の情報を取得して前記ベース装置に提供する通知ステップを実行することを特徴とする電子メール情報提供プログラム。
【請求項５】
ネットワークに接続するようにされるベース装置と、当該ベース装置に対して接続される表示装置とからなる電話通信端末の前記ベース装置に搭載されたコンピュータにおいて実行されるプログラムであって、
受付手段を通じてユーザからの発信操作を受け付ける受付ステップと、
接続端部を通じて前記表示装置が接続されているときに、前記受付ステップにおいて発信操作を受け付けた場合に、発信通知提供手段が、発信操作が行われたことの通知を形成して、前記表示装置に提供する発信通知提供ステップと、
前記通知に応じて前記表示装置から提供される表示用の所定の情報を、提供情報受付手段が受け付ける受付ステップと、
前記提供情報受付ステップにおいて受け付けた前記表示装置からの表示用の前記所定の情報を、発信処理手段が、ＳＩＰ（Session Initiation Protocol）におけるインバイト（ＩＮＶＩＴＥ）メッセージのディスプレイネーム（ＤｉｓｐｌａｙＮａｍｅ）に含めて、指示された相手先に対して発信を行う発信処理ステップと
を実行することを特徴とする発信処理プログラム。
【発明の詳細な説明】
【技術分野】
【０００１】
この発明は、作成した、あるいは、受信した電子メールの相手先に対して、電話をかける場合に用いる装置、プログラムに関する。
【背景技術】
【０００２】
電話通信システムにおいては、従来から電話会社が提供する発信者番号通知サービスによって、着信側の電話端末のディスプレイ（表示部）に発信元の電話番号を表示することができるようにされている。これにより、着信側においては、応答前にまず通知された電話番号により相手先を確認して電話に出ることができる。しかし、発信者番号通知サービスは、発信者側の電話番号を着信先に通知するサービスであり、短くても伝言メッセージ等の表示用メッセージは送信することができない。
【０００３】
そこで、表示用メッセージは、電子メールを用いて送信することが行われる。しかし、電子メールの場合、送信先では電子メールの閲覧ソフトウェア（メーラー）を起動させて、自分宛の電子メールを自分用のメールボックスから取得して閲覧しなければ見ることができない。このため、発信者が表示用メッセージを簡単かつ短時間に送信でき、しかも着信側においては応答操作する前でも、また、応答することができなかったときでも当該表示用メッセージを確認できるようにすることが望まれる。
【０００４】
この課題を解決するものとして、後に記す特許文献１には、発着信に係わる接続シーケンスで既定されたＩＮＦＯＭＡＴＩＯＮメッセージ等に、発信者が入力したメッセージや交換局（基地局）に用意されたメッセージを挿入して送信する発明が開示されている。これにより、発信者はメッセージを簡単かつ短時間に送信し、移動通信端末などの着信側では当該メッセージを抽出して表示し、着信に応答することができなかったときでも、当該伝言メッセージを確認することができるようにされる。
【先行技術文献】
【特許文献】
【０００５】
【特許文献１】特開２００１−１２８２４７号公報
【発明の概要】
【発明が解決しようとする課題】
【０００６】
しかしながら、特許文献１に開示された発明の場合、受信側にはＩＮＦＯＭＡＴＩＯＮメッセージから表示用メッセージを抽出して、これを表示する機能を新たに設ける必要がある。具体的に受信側には、（１）ＩＮＦＯＭＡＴＩＯＮメッセージが到来したときには、これを受信し、（２）受信したＩＮＦＯＭＡＴＩＯＮメッセージから発信元からの表示用メッセージを抽出し、（３）抽出した表示用メッセージをディスプレイに表示する。といった機能を、あえて新たに設ける必要が生じる。このことは、特許文献１の例えば段落［００６４］において図１０が用いられて説明されている。
【０００７】
このため、できれば受信側の電話端末等の通信機器には変更を加えることなく、発信元から着信側に表示用メッセージを送信し、着信側において応答操作がされる前であっても、ユーザが当該表示メッセージを確認できるようにすることが望まれる。このような要求は、電子メールと電話との連携を実現する場合における重要な課題の１つである。
【０００８】
例えば、上述したように、電子メールを送信した場合、一般に相手先が当該電子メールを見たか否かは分からない。このため、重要な連絡の場合には、電子メールだけでなく、確認のために電話連絡を入れることがビジネスマナーにもなっている。そして、予め送信した電子メールについての電話連絡の場合には、何のために電話がかかってきているのかを、受信側の電話端末に表示できれば便利である。受信側においては、自機への着信が何のための連絡なのかを応答前に知ることができるので迅速な応答が期待できる。
【０００９】
以上のことに鑑み、この発明は、少なくとも着信側の通信機器には大きな変更を加えることなく、電話の発信時において、発信元から着信側にメッセージ情報を送信し、着信側において応答操作がされる前であっても、発信元からのメッセージ情報を確認できるようにすることを目的とする。
【課題を解決するための手段】
【００１０】
上記課題を解決するため、請求項１に記載の発明の電話通信端末は、
表示手段と、
前記表示手段に表示情報を表示する処理を行うようにする表示制御手段と、
ユーザからの発信操作を受け付ける受付手段と、
前記表示手段に表示情報が表示されているときに、前記受付手段を通じて発信操作を受け付けた場合に、前記表示情報に含まれる所定の情報をＳＩＰ（Session Initiation Protocol）におけるインバイト（ＩＮＶＩＴＥ）メッセージのディスプレイネーム（ＤｉｓｐｌａｙＮａｍｅ）に含めて、指示された相手先に対して発信を行う発信処理手段と
を備える電話通信端末であって、
前記表示手段と前記表示制御手段とを備えた表示装置と、前記受付手段と前記発信処理手段とを備えると共に、ネットワークに接続するようにされるベース装置とからなり、
前記表示装置は、
前記ベース装置への接続を可能にする表示装置側接続端部と、
前記ベース装置からの発信操作が行われたことの通知を受け付ける発信通知受付手段と、
前記表示装置側接続端部を通じて前記ベース装置に接続され、前記表示制御手段により前記表示手段に表示情報が表示されているときに、前記発信通知受付手段を通じて前記ベース装置から発信操作が行われたことの通知を受け付けた場合に、前記表示情報に含まれる前記所定の情報を前記ベース装置に提供する通知手段を備え、
前記ベース装置は、
前記表示装置の接続を可能にするベース装置側接続端部と、
前記ベース装置側接続端部を通じて前記表示装置が接続されているときに、前記受付手段を通じて発信操作を受け付けた場合に、発信操作が行われたことの通知を形成して、前記表示装置に提供する発信通知提供手段と、
前記表示装置からの前記所定の情報を受け付ける提供情報受付手段と
を備え、
前記発信処理手段は、前記提供情報受付手段を通じて受け付けた前記表示装置からの前記所定の情報をディスプレイネーム（ＤｉｓｐｌａｙＮａｍｅ）に含めたインバイト（ＩＮＶＩＴＥ）メッセージを形成して発信することを特徴とする。
【００１１】
請求項１に記載の発明の電話通信端末によれば、表示制御手段により種々の表示情報が表示手段に表示するようにされる。当該表示手段に表示情報が表示されているときに、受付手段を通じて発信操作が受け付けられると、発信処理手段により、当該表示情報に含まれる所定の情報が、発信メッセージであるインバイト（ＩＮＶＩＴＥ）メッセージのディスプレイネーム（ＤｉｓｐｌａｙＮａｍｅ）に含められて発信される。
【００１２】
ディスプレイネームに記録された情報は、本来、着信先において「発信元表示名」として表示されるものである。このため、着信側の通信機器（電話端末）には何らの変更を加えることなく、発信元の表示手段に表示されている表示情報に含まれる所定の情報を、発信元から着信側に送信し、これを着信側の通信機器の表示手段に表示することができるようにされる。
【発明の効果】
【００１３】
この発明によれば、極めて簡単な操作だけで、発信元から着信先に対して、表示情報に応じたメッセージ情報を送信することができる。そして、着信側においては、通信機器には大きな変更を加えることなく、発信元からのメッセージ情報を受信し、応答操作がされる前であっても、発信元からの当該メッセージ情報を表示して確認することができる。
【図面の簡単な説明】
【００１４】
【図１】実施の形態の電話システムの概要を説明するためのブロック図である。
【図２】ＩＰ電話端末４と携帯電話端末５との連携の概要について説明するための図である。
【図３】ＳＩＰサーバ１の構成例を説明するためのブロック図である。
【図４】アドレス管理ＤＢ１０６に形成される管理情報（データベース）の構成例について説明するための図である。
【図５】ＩＰ電話端末４の構成例を説明するためのブロック図である。
【図６】携帯電話端末５の構成例を説明するためのブロック図である。
【図７】表示された電子メール情報の相手先に電話をかける場合の動作（処理）について説明するためのシーケンス図である。
【図８】発信元の携帯電話端末５のディスプレイの表示例と発信の相手先（発信先）の電話端末の着信時の表示例を説明するための図である。
【図９】携帯電話端末５のディスプレイに表示される通信履歴情報（発着信履歴情報および関連メール履歴情報）の例を示す図である。
【発明を実施するための形態】
【００１５】
以下、図を参照しながら、この発明による装置、プログラムの一実施の形態について説明する。以下に説明する実施の形態においては、例えば、事業所内に形成されるボタン電話システムであって、ＩＰ（Internet Protocol）網を通じても電話通信を行うことができるＩＰ電話システムに、この発明を適用した場合を例にして説明する。
【００１６】
［電話システムの概要］
図１は、この実施の形態の電話システムの概要を説明するためのブロック図である。図１に示すように、この実施の形態の電話システムは、ＳＩＰサーバ１に対してＬＡＮ（Local Area Network）２を通じ、複数のＩＰ電話端末４（１）、４（２）、４（３）、…が接続されて構成される。そして、ＩＰ電話端末４（１）、４（２）、４（３）、…のそれぞれと、電子メールの送受が可能な携帯電話端末５とを、所定のデジタルインターフェースを用いて接続し、データの送受を行うことができるようにしている。
【００１７】
そして、以下に説明する実施の形態において、ＩＰ電話端末４（１）、４（２）、４（３）、…のそれぞれが、電話機能を実現するベースとなるベース装置を構成し、携帯電話端末５が、電子メール情報等を表示する表示装置を構成するものとして位置付けられる。なお、以下においては、ＩＰ電話端末４（１）、４（２）、４（３）、…のそれぞれと携帯電話端末５とは、例えばＵＳＢ（Universal Serial Bus）規格のインターフェースケーブル８により接続されるものとして説明する。
【００１８】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮ２に接続された電話システム内の機器との間や、ＬＡＮ２に接続された機器とＩＰ網６や電話網７に接続された機器との間に、通信路を接続することができるようにするものである。
【００１９】
ＩＰ網６は、ＩＰ（Internet Protocol）を用いて通信を行うネットワークを意味し、具体的にはインターネットである。また、電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００２０】
ＩＰ電話端末４（１）、４（２）、４（３）、…のそれぞれは、通話を行うためにユーザによって用いられる通信端末である。ＩＰ電話端末４（１）、４（２）、４（３）、…のそれぞれは、ＬＡＮ２に接続されたＩＰ電話端末との間の内線通話と、ＩＰ網６や電話網７に接続された外部の電話端末との間の外線通話とを行うことができるものである。
【００２１】
携帯電話端末５は、携帯電話網を通じて通信路を接続して通話を行うことができるものである。また、携帯電話端末５は、携帯電話網を通じてインターネットに接続し、Ｗｅｂページを閲覧したり、種々の情報のダウンロードやアップロードを行ったり、また、電子メールの送信、受信を行ったりすることができるものである。この実施の形態において、携帯電話端末５は、電子メールの送受やＷｅｂページの閲覧などを行うネットワーク機能や個人情報管理に優れたいわゆるスマートフォンなどと呼ばれる高機能の携帯電話端末である。
【００２２】
そして、図１において、ＩＰ電話端末４（２）と携帯電話端末５とが接続されているように、ＩＰ電話端末４（１）、４（２）、４（３）、…と、携帯電話端末５とは、ＵＳＢケーブル８を用いて接続し、相互に種々のデータの送受を行うことができるようにしている。これにより、ＩＰ電話端末４と携帯電話端末５とが連携することができるようにしている。
【００２３】
なお、この実施の形態において、ＩＰ電話端末４（１）、４（２）、４（３）、…のそれぞれは、同様に構成されるものである。このため、以下においては、ＩＰ電話端末４（１）、４（２）、４（３）、…のそれぞれを総称してＩＰ電話端末４という。また、図１においては、携帯電話端末５は１台しか示していないが、携帯電話端末５もまた複数存在する携帯電話端末を総称するものである。
【００２４】
そして、図１に示したように、ＩＰ電話端末４と携帯電話端末５とがＵＳＢケーブル８を通じて接続され、携帯電話端末５の表示画面に電子メール情報が表示されているときに、ＩＰ電話端末４に対して発信操作が行われたとする。この場合に、この実施の形態のＩＰ電話端末４は、携帯電話端末５と協働し、携帯電話端末５の表示画面に表示中の電子メール情報の相手先に対して自動的に電話をかけることができるようにされる。この場合に、当該ＩＰ電話端末４は、携帯電話端末５と協働して、表示中の電子メール情報に含まれる所定の情報（例えば、件名等）についても送信し、着信先において応答前に当該所定の情報を見ることができるようにしている。
【００２５】
図２は、ＩＰ電話端末４と携帯電話端末５との連携の概要について説明するための図である。図２Ａに示すように、ＩＰ電話端末４に対しては、外部端子４１１及びＵＳＢケーブル８を通じて携帯電話端末５が接続されている状態にあるとする。そして、ＩＰ電話端末４に接続された携帯電話端末５のディスプレイ５２４の表示画面には、送信元と送信先の電子メールアドレス、件名、本文といった種々の情報を含む電子メール情報が表示されているとする。
【００２６】
この状態にあるときに、図２Ｂに示すように、ＩＰ電話端末４のハンドセット４４０をＩＰ電話端末４の本体から取り上げると、フックスイッチＳＷはオン状態からオフ状態に遷移し、ＩＰ電話端末４はオフフック状態（回線接続状態）になる。このオフフック状態にされた場合を、ＩＰ電話端末４は発信操作が行われたと判別し、自機に接続されている携帯電話端末５のディスプレイ５２４の表示画面に表示されている電子メール情報の相手先に対して、自動的に発信して電話をかけることができるようにしている。
【００２７】
この場合、ＩＰ電話端末４は、オフフック操作されると、オフフック操作されたことを携帯電話端末５に通知する。携帯電話端末５は、オフフック操作されたことの通知を受けると、電話をかける相手先を特定して、その電話番号を取得し、この取得した電話番号と共に、表示中の電子メール情報に含まれる所定の情報、例えば、「件名」をＩＰ電話端末４に提供する。
【００２８】
この場合に電話をかける相手先は、携帯電話端末５に表示されている電子メール情報に含まれる電子メールアドレスの内、当該携帯電話端末５のユーザの電子メールアドレス以外の電子メールアドレスにより特定される相手先となる。このような電話をかける相手先の特定（区別）は、簡単には、電子メール情報に含まれる電子メールアドレスと携帯電話端末５に予め登録されている自機のユーザの電子メールアドレスとの比較に基づいて行うことができる。
【００２９】
そして、携帯電話端末５は、電話をかける相手先の電子メールアドレスに基づいて、携帯電話端末５のメモリに形成された少なくとも電子メールアドレスと電話番号とを対応付けた電話帳データを参照し、相手先の電話番号を特定する。この特定した電話番号の相手先に対して、ＩＰ電話端末４は、ＩＮＶＩＴＥメッセージ（発信要求）を形成して発信する。この時、さらにＩＰ電話端末４は、当該ＩＮＶＩＴＥメッセージの中のヘッダの情報の１つとして定義されているＤｉｓｐｌａｙＮａｍｅに携帯電話端末５から提供された電子メール情報に含まれる所定の情報である例えば「件名」を記載する。
【００３０】
当該ＩＮＶＩＴＥメッセージ中のＤｉｓｐｌａｙＮａｍｅの情報は、受信側においては表示情報として処理されるものである。このため、当該ＩＮＶＩＴＥメッセージを受信する着信側の電話端末においては、当該ＩＮＶＩＴＥメッセージのＤｉｓｐｌａｙＮａｍｅに記載された情報を自機の表示画面に表示する。これにより、着信側の電話端末においては、応答操作前であっても、発信元からの当該電子メール情報の件名などのメッセージ情報をユーザに対して提供することができるようにしている。
【００３１】
このように、この実施の形態の電話システムにおいては、ハンドセット４４０を持ち上げてオフフック状態にするといった直感的で簡単な操作を契機として、表示している電子メール情報の相手先に電話をかけることができる。さらに、表示している電子メール情報に含まれる件名等の所定の情報を発信元から着信側に表示情報として提供し、受信側の電話端末等において特別の手段を設けることなく、当該表示情報を表示して着信側のユーザに提供することができるようにしている。
【００３２】
なお、ここではハンドセットを持ち上げるオフフック操作を発信操作として説明したが、これに限るものではなく、発信キーの押下操作など、所定の操作を行った場合に発信操作が行われたと判別することももちろん可能である。以下、この実施の形態の電話システムを構成する各機器について説明した後に、当該電話システムにおいて、ＩＰ電話端末４から電子メール情報の相手先に電話をかける場合の動作（処理）の具体例について説明する。
【００３３】
［ＳＩＰサーバ１の構成例］
まず、第１の実施の形態の電話システムのＳＩＰサーバ１の構成について説明する。図３は、ＳＩＰサーバ１の構成例を説明するためのブロック図である。図３に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ２への接続端子１０８と、制御部１１０とを備えている。
【００３４】
制御部１１０は、この実施の形態のＳＩＰサーバ１の各部を制御するものであり、図３に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００３５】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００３６】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００３７】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００３８】
接続端子１０８はＬＡＮ２への接続端部を構成するものである。ＬＡＮＩ／Ｆ１０７は、ＬＡＮ２を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ２に送出する。
【００３９】
パケット分解／生成部１０３は、パケットの分解や生成を行うものであり、主に、電話網７に接続された端末装置とＳＩＰサーバ１の配下のＩＰ電話端末４との間で通話を行う場合に、送受するデータのパケットの分解や生成を行う。具体的には、ＬＡＮ２を通じてＳＩＰサーバ１に接続されたＩＰ電話端末４等からの電話網７に接続された端末装置に送信すべきパケットが、接続端子１０８、ＬＡＮＩ／Ｆ１０７を通じて制御部１１０に供給される。当該パケットは、制御部１１０からパケット分解／生成部１０３に供給され、ここでパケット分解された後に、電話網Ｉ／Ｆ１０４、接続端子１０５を通じて電話網に送出され、目的とする相手先に送信される。
【００４０】
また、電話網７に接続された端末装置からのＬＡＮ２を通じてＳＩＰサーバ１に接続されたＩＰ電話端末４等へのデータは、接続端子１０５、電話網Ｉ／Ｆ１０４を通じて制御部１１０に供給される。当該データは、制御部１１０からパケット分解／生成部１０３に供給され、ここで所定の形式のパケットとされた後に、ＬＡＮＩ／Ｆ１０７、接続端子１０８を通じて、ＬＡＮ２に送出されて目的とするＩＰ電話端末４等に送信される。
【００４１】
なお、ＩＰ網６に接続された端末と、ＳＩＰサーバ１にＬＡＮ２を通じて接続されるＩＰ電話端末４等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受される。同様に、ＳＩＰサーバ１にＬＡＮ２を通じて接続されるＩＰ電話端末４間においても、パケットが送受されるため、パケット分解／生成部１０３において、パケットの分解や生成は行われることはなく、ＬＡＮＩ／Ｆ１０７を通じてパケットが送受される。
【００４２】
そして、アドレス管理ＤＢ１０６は、レジストラ・サーバ機能を実現するために、ＩＰ網６やＬＡＮ２に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるＵＲＩ（Uniform Resource Identifier）やＩＰアドレスなどのアドレス情報を抽出する。そして、制御部１１０は、抽出したアドレス情報をアドレス管理ＤＢ１０６に登録したり、抽出したアドレス情報を用いてアドレス管理ＤＢ１０６の登録情報を更新したりする。
【００４３】
このようにして、アドレス管理ＤＢ１０６に登録されて管理される情報が参照され、自機にＬＡＮ２を通じて接続されるＩＰ電話端末４などから要求のあった通信先を確実に特定する。そして、その特定した相手先に送信すべき情報（パケットデータ）を転送するようにするプロキシ・サーバとしての機能をＳＩＰサーバ１が実現する。また、アドレス管理ＤＢ１０６に登録されて管理される情報は、自機にＬＡＮ２を通じて接続されるＩＰ電話端末４などへの着信の判別などにも用いられる。
【００４４】
図４は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続されたＩＰ電話端末４などについてのアドレス情報をも管理する。
【００４５】
基本的にＳＩＰサーバ１のアドレス管理ＤＢ１０６に形成される管理情報は、上述もしたように、ＩＰ網６に接続された端末装置から送信されてくるＵＲＩ（ＳＩＰ  ＵＲＩ）と、ＩＰアドレスである。そして、この実施の形態のＳＩＰサーバ１のアドレス管理ＤＢ１０６では、図３に示したように、ＳＩＰサーバ１にＬＡＮ接続されたＩＰ電話端末４については、ＵＲＩとＩＰアドレスの他、ＭＡＣ（Media Access Control）アドレスと内線番号についても管理する。
【００４６】
そして、この実施の形態の電話システムのＩＰ電話端末４からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。また、ＩＰ網６や電話網７を通じて、ＬＡＮ２に接続されているＩＰ電話端末４に対する着信要求（外線着信）をＳＩＰサーバ１が受け付けたとする。この場合、ＳＩＰサーバ１の制御部１１０は、送信されてきたメッセージを受け付けて、これを自システム内に送出する。
【００４７】
なお、外線着信であっても、例えば個別着信（着信先のＩＰ電話端末を特定した着信）や、ＳＩＰサーバ１にＬＡＮ接続されたＩＰ電話端末間の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする相手先のＩＰ電話端末４を特定し、この特定したＩＰ電話端末４に対して、メッセージの転送を行う。
【００４８】
また、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムを構成するＩＰ電話端末４に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられる。
【００４９】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態のＳＩＰサーバ１は、外線−内線間の接続や内線間の接続を行ったり、通信回線の使用状況を配下のＩＰ電話端末４に通知したりすることができるものである。
【００５０】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮ２を通じて接続されるＩＰ電話端末４毎に供給すべきＬＥＤ等の点灯、消灯を制御するための制御情報を形成する。当該制御情報は、ＬＡＮＩ／Ｆ１０７、接続端子１０８を通じてＬＡＮ２に送出され、各ＩＰ電話端末４等に送信される。
【００５１】
なお、図３において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００５２】
［ＩＰ電話端末４の構成例］
次に、第１の実施の形態の電話システムで用いられるＩＰ電話端末４の構成について説明する。図５は、この実施の形態の電話システムのＩＰ電話端末４の構成例を説明するためのブロック図である。
【００５３】
この実施の形態のＩＰ電話端末４は、図５に示すように、主に電話機能を実現する部分として、ＬＡＮ接続端子４０１、ＬＡＮＩ／Ｆ４０２、パケット処理部４０３、通話音声入出力インターフェース（以下、通話音声入出力Ｉ／Ｆという。）４０４、ハンドセット接続端子４０５、オンフック／オフフック検出部４０６、ハンドセット４４０、リンガ４０７、操作入力部４０８、操作入力インターフェース（以下、操作入力Ｉ／Ｆという。）４０９、電話帳メモリ４１０、ディスプレイコントローラ４１５、ディスプレイ４１６を備えている。
【００５４】
また、ＩＰ電話端末４は、外部機器を接続するための部分として、図５に示すように、外部端子４１１、外部インターフェース（以下、外部Ｉ／Ｆと略称する。）４１２、充電電流供給回路４１３、ＡＣコンセント４１４を備えている。さらに、ＩＰ電話端末４は、自機に接続された携帯電話端末５との連携を実現する部分として、発信等処理部４２１、端末表示制御部４２２を備えると共に、当該ＩＰ電話端末４の各部を制御する制御部４３０を備えている。
【００５５】
制御部４３０は、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。ここで、ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。
【００５６】
また、ＲＡＭ４３３は、処理の途中結果を一時記憶するなど、主に作業領域として用いられるものである。また、ＥＥＰＲＯＭ４３４は、いわゆる不揮発性メモリであり、電源が落とされても保持しておくべきデータ、例えば、種々の設定パラメータや機能アップのために提供された新たなプログラムなどを記憶保持する。
【００５７】
［着信時の動作］
そして、ＬＡＮ２を介して送信されてくるパケットデータは、ＬＡＮ接続端子４０１を通じてＬＡＮＩ／Ｆ４０２に供給され、ここで自機において処理可能な形式のデータに変換された後、ＣＰＵバス４３５を介して、パケット処理部４０３に供給される。パケット処理部４０３は、これに供給されたパケットデータに含まれる制御データや音声データを分解して抽出する。ここで抽出された制御データは制御部４３０に供給され、自機の制御に用いられる。また、自機（自端末）宛の音声データが含まれていた場合には、当該音声データは、ＣＰＵバス４３５を通じて通話音声入出力Ｉ／Ｆ４０４に供給されることになる。
【００５８】
パケット処理部４０３において分解されて抽出された制御データが、自機への呼び出しメッセージである場合には、制御部４３０は、リンガ４０７を制御して、着信鳴動させる。同時に、制御部４３０は、ディスプレイコントローラ４１５を制御し、ディスプレイ４１６の表示画面に自機に着信があることを通知するメッセージや発信元の電話番号や名前あるいは発信元の内線番号などを表示する。
【００５９】
そして、自機への着信に応じて、ユーザがハンドセット４４０をＩＰ電話端末４の本体から持ち上げると、オンフック／オフフック検出部４０６により、フックスイッチＳＷがオフになったことが検出され、これが制御部４３０に通知される。これにより、制御部４３０は各部を制御し、当該ＩＰ電話端末４をオフフック状態に遷移させる。この場合、制御部４３０は、着信に応答するメッセージを形成し、これをパケット処理部４０３においてパケット化して、ＬＡＮＩ／Ｆ４０２に供給する。ＬＡＮＩ／Ｆ４０２は、当該パケットデータを送信用のパケットデータに変換し、これをＬＡＮ接続端子４０１を通じてＬＡＮ２に送出し、発呼先の端末に送信するようにする。
【００６０】
これにより、上述したＳＩＰサーバ１を通じて発信元との間に通信路が生成され、通話が開始される。この場合、相手先からの音声データを含むパケットは、上述したように、ＬＡＮ接続端子４０１、ＬＡＮＩ／Ｆ４０２を通じてパケット処理部４０３に供給され、ここで分解されて、制御データは制御部４３０へ、音声データは通話音声入出力Ｉ／Ｆ４０４に供給される。
【００６１】
通話音声入出力Ｉ／Ｆ４０４は、パケット処理部４０３からの音声データから自機のハンドセット４４０のスピーカ（受話器）に供給するアナログ音声信号を形成し、これをハンドセット接続端子４０５を通じてハンドセット４４０のスピーカに供給する。これにより、相手先から送信されてくる相手先の音声が、ハンドセット４４０のスピーカ（受話器）から放音される。
【００６２】
一方、ハンドセット４４０のマイクロホン（送話器）によって集音された音声は、ここで電気信号に変換され、ハンドセット接続端子４０５を通じて通話音声入出力Ｉ／Ｆ４０４に供給される。通話音声入出力Ｉ／Ｆ４０４は、ハンドセット４４０からの音声データをデジタル信号に変換するなどの処理を行って、これをパケット処理部４０３に供給する。パケット処理部４０３は、通話音声入出力Ｉ／Ｆ４０４からの音声データを含む相手先への送信用のパケットを形成し、これをＬＡＮＩ／Ｆ４０２、ＬＡＮ接続端子４０１を通じてＬＡＮ２に送出し、通信の相手先に送信する。このようにして、ＩＰ電話端末４は、自機への着信に応答し、発呼先との間で通信路を生成して通話を行うことができる。
【００６３】
［発呼時の動作］
次に、当該ＩＰ電話端末４から電話をかける場合（発信（発呼）する場合）の処理について説明する。ＩＰ電話端末４から発信する場合には、まず、ハンドセット４４０をＩＰ電話端末４の本体から持ち上げると、オンフック／オフフック検出部４０６により、フックスイッチＳＷがオフになったことが検出され、これが制御部４３０に通知される。これにより、制御部４３０は各部を制御し、当該ＩＰ電話端末４をオフフック状態に遷移させる。この場合、制御部４３０は、まず回線を確保し、操作入力部４０８および操作入力Ｉ／Ｆ４０９を通じて通信の相手先の電話番号、あるいは、内線番号の入力を受け付ける。
【００６４】
この場合、制御部４３０は、発呼メッセージを形成し、これをパケット処理部４０３に供給する。パケット処理部４０３は、自機からの発呼メッセージをパケット化し、これをＬＡＮＩ／Ｆ４０２、ＬＡＮ接続端子４０１を通じてＬＡＮ２に送出し、ＳＩＰサーバ１を通じて目的とする通信の相手先に送信するようにする。
【００６５】
この後、目的とする相手先からの応答が返信されてきた場合に制御部４３０は通信路を生成する。これにより、ＬＡＮ接続端子４０１、ＬＡＮＩ／Ｆ４０２、パケット処理部４０３、通話音声入出力Ｉ／Ｆ４０４、ハンドセット接続端子４０５、ハンドセット４４０からなる通話系の機能により通話を行うことができるようにされる。このように、ＩＰ電話端末４は、自機から目的とする端末に発信して、相手先との間に通信路を接続して通話を行うこともできる。
【００６６】
また、電話帳メモリ４１０には、通信の相手先（電話をかけたり、電話がかかってきたりする可能性のある相手先）の電話番号や名前が電話帳データとして登録される。これにより、電話帳メモリ４１０に登録されている電話帳データから目的とする相手先の電話帳データを選択することにより、当該電話帳データの電話番号を用いて、電話をかけることもできるようにされる。
【００６７】
すなわち、携帯電話端末の場合と同様に、電話番号をいちいち入力することなく、電話帳メモリ４１０に登録済みの電話帳データを用いて電話をかけることもできるようにされる。また、当該電話帳データを用いて、自機への着信時に通知される発信元の電話番号に基づいて、発信元の名前を特定して表示するなどのこともできるようにされる。なお、電話帳メモリ４１０には、相手先の名前（名称）、電話番号、電子メールアドレス、住所、所属先（会社名、部署名等）、備考などの必要とされる種々の情報を登録することもできる。
【００６８】
そして、外部端子４１１が、外部機器である携帯電話端末５との接続端部を構成するものであり、データ端子と充電端子とを有するものである。このため、図５に示したように、外部端子４１１には、外部Ｉ／Ｆ４１２と、充電電流供給回路４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、これを制御部４３０に通知する。これにより、制御部４３０は、外部端子４１１を通じて自機に携帯電話端末５が接続されたことを認識することができる。
【００６９】
また、外部Ｉ／Ｆ４１２は、外部端子４１１を通じて供給される携帯電話端末５からのデータを受け付けて、これを自機において処理可能な形式のデータに変換して制御部４３０に供給する。さらに、外部Ｉ／Ｆ４１２は、外部端子４１１に接続された携帯電話端末５に供給する制御部４３０からのデータを出力用の所定の形式のデータに変換して、これを、外部端子４１１を通じて出力する。
【００７０】
充電電流供給回路４１３は、ＡＣコンセント４１４から送られてくる商用交流電圧から直流の充電電流を生成する。そして、充電電流供給回路４１３は、外部Ｉ／Ｆ４１２からの携帯電話端末５がＩＰ電話端末４に接続されたことの検知通知に基づく制御部４３０の制御により駆動状態に制御されて、充電電流を、外部端子を通じて携帯電話端末５に供給する。
【００７１】
このように、この実施の形態のＩＰ電話端末４は、外部端子４１１を通じて携帯電話端末５などの外部機器の接続を可能にし、接続された外部機器との間で情報の送受を行うことができると共に、外部機器に対して電力の供給をも行うことができる。外部機器は、外部端子４１１を通じて供給されるＩＰ電話端末４からの電力を充電電力として用いたり、駆動電力として用いたりすることができる。なお、外部端子４１１、外部Ｉ／Ｆ４１２、充電電流供給回路４１３からなる部分は、ＵＳＢ規格に準拠したものである。
【００７２】
そして、この実施の形態のＩＰ電話端末４は、外部端子４１１を通じて接続される携帯電話端末５と協働するための部分として、発信等処理部４２１と、端末表示制御部４２２とを備える。発信等処理部４２１は、主に、自機に接続された携帯電話端末５から提供される電話番号に基づいて発信メッセージ（ＩＮＶＩＴＥメッセージ）を形成して発信処理を行う部分である。
【００７３】
また、発信等処理部４２１は、携帯電話端末５から提供される携帯電話端末５において表示中の電子メール情報に含まれる所定の情報の提供を受けて、これをＩＮＶＩＴＥメッセージのＤｉｓｐｌａｙＮａｍｅに記載することができるものである。また、端末表示制御部４２２は、自機に外部端子４１１を通じて接続されている携帯電話端末５のディスプレイ５２４への情報の表示を制御するようにするためのものである。これら発信等処理部４２１と端末表示制御部４２２とにより、自機に外部端子４１１を通じて接続されている携帯電話端末５との連携を図ることができるようにしている。
【００７４】
また、図５において、二重線で示したパケット処理部４０３、発信等処理部４２１、端末表示制御部４２２のそれぞれは、独立した回路部分として示しているが、これに限るものではない。これらの各部の機能は、制御部４３０において実行されるプログラムにより、制御部４３０の機能として実現することも可能である。
【００７５】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００７６】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００７７】
また、携帯電話端末５は、電話帳メモリ５１０を備えると共に、自機が接続されたＩＰ電話端末４との連携を実現する部分として、メール情報通知処理部５１１および表示情報処理部５１２を備えている。また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００７８】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ここで、ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００７９】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラムなどが記憶保持される。
【００８０】
送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００８１】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００８２】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御することにより、ユーザの指示に応じて処理を行うことができるようにされる。
【００８３】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、後述する電話帳メモリ５１０に登録されている電話帳データ等が表示される。この他、待ち受け時においては、所定の待ち受け画面をディスプレイ５２４に表示したり、各種のエラーメッセージやガイダンスメッセージなども表示したりすることもできるようにされる。
【００８４】
外部端子５３１は、ＩＰ電話端末４との接続端部を構成するものであり、データ端子と充電端子とを有するものである。このため、図６に示したように、外部端子５３１には、外部Ｉ／Ｆ５３２と、充電回路５３３とが接続されている。
【００８５】
外部Ｉ／Ｆ５３２は、外部端子５３１を通じて接続されたＩＰ電話端末４との間でデータを送受するためのものである。外部端子５３１にＩＰ電話端末４が接続されると、外部Ｉ／Ｆ５３２は、当該ＩＰ電話端末４との間で接続時の信号のやり取りをすることにより、ＩＰ電話端末４に接続されたことを検知し、制御部５４０に通知する。これにより、制御部５４０は、外部端子５３１を通じて自機がＩＰ電話端末４に接続されたことを認識することができる。
【００８６】
また、外部Ｉ／Ｆ５３２は、外部端子５３１を通じて供給されるＩＰ電話端末４からのデータを受け付けて、これを自機において処理可能な形式のデータに変換して制御部５４０に供給する。また、外部Ｉ／Ｆ５３２は、外部端子５３１に接続されたＩＰ電話端末４に供給する制御部５４０からのデータを出力用の所定の形式のデータに変換して、これを外部端子５３１を通じて出力する。
【００８７】
充電回路５３３は、外部端子５３１の充電端子を通じてＩＰ電話端末４から送られてくる充電電流からバッテリに供給する電流を生成する。そして、充電回路５３３は、外部Ｉ／Ｆ５３２からのＩＰ電話端末４に接続されたことの検知通知に基づく制御部５４０の制御により駆動状態に制御されて、充電用に生成した電流をバッテリ５３４に供給する。これにより携帯電話端末５のバッテリ５３４の充電が行われる。これら外部端子５３１、外部Ｉ／Ｆ５３２、充電回路５３３からなる部分は、ＵＳＢ規格に準拠したものである。また、ＩＰ電話端末４からの電流を駆動電流として用いるようにすることもできる。
【００８８】
また、携帯電話端末５は電話帳メモリ５１０を備えている。電話帳メモリ５１０には、通信の相手先（電話をかけたり、電話がかかってきたりする可能性のある相手先や電子メールの送信元や送信先となる相手先）の電話番号、名前、電子メールアドレス、住所、会社名といった種々の情報からなる電話帳データが多数記録されている。この電話帳メモリ５１０の電話帳データは、通常、目的とする相手先に電話をかける場合に用いたり、電話がかかってきたときに当該相手先の名前などを通知される電話番号に基づいて表示したりする場合に用いられる。
【００８９】
そして、携帯電話端末５が外部端子５３１を通じてＩＰ電話端末４に接続されている場合に、ディスプレイ５２４に電子メール情報が表示されたとする。電子メール情報のディスプレイ５２４への表示は、操作入力部５２１を通じて受け付けたユーザからの指示入力に応じて、制御部５４０がディスプレイコントローラ５２３を制御して行う。このように携帯電話端末５に電子メール情報が表示されているときに、ＩＰ電話端末４が発信操作を受け付けると、携帯電話端末５とＩＰ電話端末４とが協働して、表示されている電子メール情報の相手先に自動的に電話をかけることができるようにしている。
【００９０】
この場合、メール情報通知処理部５１１は、電子メール情報に含まれる送信元、宛先、ＣＣ（Carbon Copy）、ＢＣＣ（Blind Carbon Copy）の電子メールアドレスの内、携帯電話端末５のユーザの電子メールアドレスとは異なる電子メールアドレスを取得する。この取得した電子メールアドレスに基づいて、メール情報通知処理部５１１は、電話帳メモリ５１０の情報を参照し、当該電子メールアドレスに対応する電話番号を取得する。なお、携帯電話端末５のユーザの電子メールアドレスは、例えば、ＥＥＰＲＯＭ５４４などの所定のメモリに予め登録するようにされているものである。
【００９１】
さらに、メール情報通知処理部５１１は、上述のようにして特定した電話をかける相手先の電話番号と、ディスプレイ５２４の表示画面に表示している電子メール情報に含まれる所定の情報を、自機が接続されているＩＰ電話端末４に通知する。この場合、電子メール情報に含まれる所定の情報は、例えば「件名」として保持している情報や「日時（送信日時）」を示す情報などである。この他、携帯電話端末５のユーザ名等を含めるようにしてもよい。
【００９２】
また、表示情報処理部５１２は、ＩＰ電話端末４の端末表示制御部４２２の機能により当該ＩＰ電話端末４から提供される通信の状態通知に基づいて、「発信中」、「通話中」などの現在の通信の状態をディスプレイ５２４に表示する。このように、主にメール情報通知処理部５１１と表示情報処理部５１２とが、携帯電話端末５側における、ＩＰ電話端末４と連携するために機能する部分である。
【００９３】
なお、図６において、二重線で示したメール情報通知処理部５１１、表示情報処理部５１２とは、それぞれ独立した回路部分として示しているが、これに限るものではない。メール情報通知処理部５１１、表示情報処理部５１２のそれぞれは、制御部５４０において実行されるプログラムにより、制御部５４０の機能として実現することももちろん可能である。
【００９４】
［電話システムの動作（処理）］
次に、この実施の形態の電話システムにおいて、ＩＰ電話端末４に対して携帯電話端末５が接続されている場合であって、携帯電話端末５のディスプレイ５２４に電子メール情報が表示されている場合の発信時の動作について具体的に説明する。
【００９５】
なお、上述したように、この実施の形態の電話システムは、上述したように、携帯電話端末５に表示されている電子メール情報の相手先であって、自分（携帯電話端末５のユーザ）以外の相手先に電話をかけることができる。すなわち、電話をかける相手先は、送信元、宛先だけでなく、いわゆるＣＣやＢＣＣに指定された相手先も含められる。しかし、以下においては、説明を簡単にするため、まず、ＩＰ電話端末４に接続された携帯電話端末５から送信した電子メールが当該携帯電話端末５に表示されている場合であって、その電子メールの宛先に電話をかける場合を例にして具体的に説明する。
【００９６】
図７は、この実施の形態の電話システムにおいて、表示された電子メール情報の相手先に電話をかける場合の動作（処理）について説明するためのシーケンス図である。また、図８は、発信元と着信先における画面への情報の表示例について説明するための図である。
【００９７】
この電話システムにおいては、上述もしたように、ＩＰ電話端末４と携帯電話端末５とは、ＵＳＢケーブル８を用いて接続される。そして、携帯電話端末５の制御部５４０は、外部端子５３１及び外部Ｉ／Ｆ５３２を通じてＩＰ電話端末４と通信を行うことにより、自機がＩＰ電話端末４に接続されたことを検知する（ステップＳ１）。同様に、ＩＰ電話端末４の制御部４３０は、外部端子４１１及び外部Ｉ／Ｆ４１２を通じて携帯電話端末５と通信を行うことにより、自機に携帯電話端末５が接続されたことを検知する（ステップＳ２）。
【００９８】
これ以降、ＩＰ電話端末４と携帯電話端末５とは、ＩＰ電話端末４の外部端子４１１および外部Ｉ／Ｆ４１２と、携帯電話端末５の外部端子５３１および外部Ｉ／Ｆ５３２と、ＵＳＢケーブル８とを通じて、データの送受を行うことができるようにされる。
【００９９】
この後、携帯電話端末５が、操作入力部５２１および操作入力Ｉ／Ｆ５２２を通じて、電子メールの作成／閲覧ソフトウェアである所定のメーラーの起動指示を受け付けると、制御部５４０は、メーラーをＲＯＭ５４２から読み出して実行する（ステップＳ３）。そして、携帯電話端末５が、操作入力部５２１および操作入力Ｉ／Ｆ５２２を通じて、目的とする電子メール情報を表示する指示入力を受け付けたとする。この場合、携帯電話端末５においては、制御部５４０とディスプレイコントローラ５２３とが機能し、電子メールの表示を行い、目的とする電子メール情報の閲覧を可能にする（ステップＳ４）。これらステップＳ３、ステップＳ４においては、携帯電話端末５とＩＰ電話端末４とが通信を行うことはない。
【０１００】
この後、携帯電話端末５のディスプレイ５２４の表示画面に表示された電子メールの相手先に電話をかけるために、ＩＰ電話端末４のハンドセット４４０がＩＰ電話端末４の本体から取り上げられる操作（オフフック操作）が行われたとする（ステップＳ５）。このステップＳ５の操作は、オフフックキー（発信ボタン）などを押下する発信操作であってもよい。
【０１０１】
オフフック操作が行われたことは、オンフック／オフフック検出部４０６により検出され、制御部４３０に通知される。この場合、ＩＰ電話端末４の制御部４３０は、携帯電話端末５のディスプレイ５２４に表示されている電子メール情報に関係する相手先であって、電話をかける相手先の電話番号等の提供を要求する（ステップＳ６）。このステップＳ６の処理は、表示された電子メール情報に関する情報の提供要求であり、閲覧メール情報の要求に相当する。
【０１０２】
閲覧メール情報の要求の提供を受けた携帯電話端末５においては、制御部５４０の制御の下、メール情報通知処理部５１１が機能し、ＩＰ電話端末４に提供すべき情報を取得し、この取得した情報をＩＰ電話端末４に提供する（ステップＳ７）。このステップＳ７において、メール情報通知処理部５１１は、表示されている電子メール情報に応じて特定した電話をかける相手先の電話番号と、表示されている電子メール情報から抽出した所定の情報とをＩＰ電話端末４に提供する。
【０１０３】
なお、上述したように、携帯電話端末５のディスプレイ５２４に表示された電子メール情報は、当該携帯電話端末５から送信したものであり、送信元の電子メールアドレスは、携帯電話端末５のユーザのものである。このため、携帯電話端末５のディスプレイ５２４の表示画面に表示された電子メール情報が、図８Ａに示したものである場合、メール情報通知処理部５１１は、自機のユーザの電子メールアドレスとは異なる宛先である「第一営業部タナカ」さんの電子メールアドレスを、電話をかける相手先の電子メールアドレスとして抽出する。
【０１０４】
そして、メール情報通知処理部５１１は、抽出した「第一営業部タナカ」さんの電子メールアドレスに基づいて、自機の電話帳メモリ５１０のデータを参照し、「第一営業部タナカ」さんの電話番号を取得する。さらに、メール情報通知処理部５１１は、表示されている電子メール情報に含まれる所定の情報から、この例では、「件名」として保持している情報と「日時（送信日時）」として保持している情報とを抽出する。そして、メール情報通知処理部５１１は、これら取得した電話番号、「件名」、「日時（送信日時）」のそれぞれを示す情報をＩＰ電話端末４に提供する。
【０１０５】
このように、（１）電話をかける相手先の電子メールアドレスの抽出、（２）抽出した電子メールアドレスに基づく電話をかける相手先の電話番号の特定、（３）電子メール情報に含まれる情報の内、送信すべき所定の情報の抽出、（４）特定した電話番号、抽出した所定の情報のＩＰ電話端末４への提供という処理が、ステップＳ７において行われる。そして、携帯電話端末５からＩＰ電話端末４に提供される情報は、表示されている電子メール情報に応じて特定された、あるいは、抽出された情報であり、携帯電話端末５からＩＰ電話端末４への閲覧メール情報である。
【０１０６】
この後、携帯電話端末５からの電話番号等の情報の提供を受けたＩＰ電話端末４は、提供を受けた電話番号等の情報をＲＡＭ４３３に一時記憶し、これを解析する処理（閲覧メール情報解析）を行う（ステップＳ８）。この閲覧メール情報解析処理において、適正に電話番号等の情報の提供を受けたことが確認できた場合には、応答（２００  ＯＫ）を携帯電話端末５に送信する。なお、携帯電話端末５から電話番号等の情報が提供されなかった場合などには、電話番号等の情報の再送信を要求し、携帯電話端末５から電話番号等の必要な情報の再送を受けるようにすることができる。
【０１０７】
携帯電話端末５からの電話番号や電子メール情報に含まれる所定の情報の提供を受けたＩＰ電話端末４は、当該電話番号の相手先への発信を行うと共に、発信中であることの携帯電話端末５への通知を行う（ステップＳ９）。このステップＳ９において、ＩＰ電話端末４においては、まず、制御部４３０の制御の下、発信等処理部４２１が機能し、携帯電話端末５から提供された電話番号の相手先への発信メッセージ（ＩＮＶＩＴＥメッセージ）を形成する。この場合、発信等処理部４２１は、当該ＩＮＶＩＴＥメッセージには発信元の電話番号を含める他、ＤｉｓｐｌａｙＮａｍｅに携帯電話端末５から提供された「件名」や「日時（送信日時）」を示す情報を記録する。
【０１０８】
発信等処理部４２１において形成されたＩＮＶＩＴＥメッセージは、制御部４３０、ＬＡＮＩ／Ｆ４０２、ＬＡＮ接続端子４０１を通じてＳＩＰサーバ１に送信される。そして、ＳＩＰサーバ１は、ＩＰ電話端末４からのＩＮＶＩＴＥメッセージに応じて、電話をかける相手先を特定するようにし、当該電話をかける相手先に対して当該ＩＮＶＩＴＥメッセージを送信する（ステップＳ１０）。
【０１０９】
このようにして、ＩＰ電話端末４からは、目的とする相手先に対するＩＮＶＩＴＥメッセージには、携帯電話端末５に表示されていた電子メール情報の「件名」、「日時（送信日時）」がＤｉｓｐｐｌａｙＮａｍｅに記載されて送信される。そして、当該ＩＮＶＩＴＥメッセージの送信先（電話をかけた相手先）では、自機宛ての当該ＩＮＶＩＴＥメッセージに応じて着信通知処理等を行うが、当該ＩＮＶＩＴＥメッセージのＤｉｓｐｌａｙＮａｍｅの情報を自機のディスプレイに表示する処理も行う。
【０１１０】
すなわち、電話をかけた相手先では、自機宛てのＩＮＶＩＴＥメッセージのＤｉｓｐｌａｙＮａｍｅから「件名」や「日時（送信日時）」を抽出し、これを自機のディスプレイに表示する処理を自動的に行う。上述もしたように、ＩＮＶＩＴＥメッセージのＤｉｓｐｌａｙＮａｍｅに記載された情報は表示対象の情報であるため、当該情報は受信側の電話端末において自動的に表示するように処理される。
【０１１１】
これにより、この場合の着信側の電話端末のディスプレイには、図８Ｂに示すように、通常通り、着信中であることを示す「着信中」の表示と発信元の電話番号表示「０５０ＸＸＸＸＺＺＺＺ」が行われる。さらに、図８Ｂに示すように、着信側の電話端末のディスプレイには、ＤｉｓｐｌａｙＮａｍｅに「件名」として記録された情報の表示「来期目標の件」と、「日時（送信日時）」として記載された情報の表示「＠２０１１．０３．３１」が行われる。なお、図８Ｂにおいて、右上端部の数字「５０００」は、当該ＩＰ電話端末４の内線番号の表示である。
【０１１２】
そして、着信側の電話端末のユーザは、着信がある自己の電話端末の表示を見ることにより、今、自己の電話端末にかかってきている電話は、「２０１１年３月３１日」に送信された、件名が「来期目標の件」に関する電話連絡であることを認識することができる。このため、着信先のユーザが、当該表示内容を認識することにより、迅速に電話に応答することが期待できる。また、着信側のユーザにとっても、何のためにかかってきている電話なのかを応答前に知ることができることにより、対応の準備を整えて応答することができるなどのメリットがある。
【０１１３】
また、上述したように、発信処理の他にステップＳ９においては、制御部４３０の制御の下、端末表示制御部４２２が、発信情報通知を形成し、これを携帯電話端末５に提供する処理も行われる。当該発信情報通知は、現在、発信中であることを通知すると共に、携帯電話端末５に対して発信中であることの表示を行うことを指示するものである。
【０１１４】
ＩＰ電話端末４からの発信情報通知を受け付けた携帯電話端末５は、表示情報処理部５１２が制御部５４０を通じてディスプレイコントローラ５２３を制御して、ディスプレイ５２４の表示画面の表示を発信中表示にする（ステップＳ１１）。この例の場合、発信中表示として、例えば、電話をかけた相手先の表示である、宛先欄の「第一営業部タナカ」という表示が点滅表示される。
【０１１５】
そして、着信先の「第一営業部タナカ」さんが、着信のある自己の電話端末に対して、着信に応答する操作（オフフック操作）を行うことにより、当該電話端末から着信応答がＳＩＰサーバ１に返信されてくる（ステップＳ１２）。当該着信応答は、ＳＩＰサーバ１を通じて発信元のＩＰ電話端末４に通知される（ステップＳ１３）。これにより、ＳＩＰサーバ１を介して、発信元のＩＰ電話端末４と着信先の「第一営業部タナカ」さんの電話端末との間に通信路が接続され、通話を行うことができるようにされる（ステップＳ１４）。
【０１１６】
このようにして通信路が接続されて通話が行うようにされると、ＩＰ電話端末４の端末表示制御部４２２が、制御部４３０の制御の下、通話情報通知を形成し、これを携帯電話端末５に提供する（ステップＳ１５）。当該通話情報通知は、現在、通話中であることを通知すると共に、携帯電話端末５に対して通話中であることの表示を行うことを指示するものである。
【０１１７】
ＩＰ電話端末４からの通話情報通知を受け付けた携帯電話端末５は、表示情報処理部５１２が制御部５４０を通じてディスプレイコントローラ５２３を制御して、ディスプレイ５２４の表示画面の表示を通話中表示にする（ステップＳ１６）。この例の場合、表示情報処理部５１２が機能し、例えば、電話をかけた相手先の表示である、宛先欄の「第一営業部タナカ」という表示が拡大ボールド文字により表示するようにされる。さらに当該部分をハイライト表示したり、反転表示したりするなど、より目立つようにしてもよい。
【０１１８】
この後、通話が終了し、ＩＰ電話端末４のユーザがハンドセット４４０をＩＰ電話端末４の本体に戻すオンフック操作を行ったとする（ステップＳ１７）。この場合、ＩＰ電話端末４の制御部４３０は、まず、切断要求を形成して、これを、ＬＡＮＩ／Ｆ４０２、ＬＡＮ接続端子４０１を通じてＳＩＰサーバ１に送信する（ステップＳ１８）。ＳＩＰサーバ１は、ＩＰ電話端末４からの切断要求に応じて、当該ＩＰ電話端末４との間に接続していた通信路を切断するようにする（ステップＳ１９）。
【０１１９】
この後、端末表示制御部４２２が、終話情報通知を形成し、これを携帯電話端末５に提供する（ステップＳ２０）。当該終話情報通知は、通信路が切断されたことを通知すると共に、通常の表示に戻すことを要求するものである。
【０１２０】
ＩＰ電話端末４からの終話情報通知を受け付けた携帯電話端末５は、表示情報処理部５１２が制御部５４０を通じてディスプレイコントローラ５２３を制御して、ディスプレイ５２４の表示画面の表示を通常表示に戻す（ステップＳ２１）。ここで、通常表示は、図８Ａに示したように、電子メール情報の通常の表示を意味する。これにより、携帯電話端末５の電子メール情報の表示が、通常表示（図８Ａ）に戻ったことによっても、ユーザは通話が終了したことを認識することができる。
【０１２１】
なお、電話をかけた相手先が先にオンフック操作した場合には、ＩＰ電話端末４には例えばビジートーンが供給されるなど、相手先がオンフックしたことが通知される。このため、ＩＰ電話端末４のユーザもオンフック操作することにより、ＩＰ電話端末４側においても通信路を解放し、ステップＳ２０、ステップＳ２１の処理を行うことによって、携帯電話端末５の表示も通常表示に戻すことができる。
【０１２２】
このように、ユーザは、ＩＰ電話端末４に接続した携帯電話端末５のディスプレイ５２４に電子メール情報を表示して確認しながら、オフフック操作などの極めて直感的で簡単な発信操作を行うだけで、当該電子メール情報の相手先に電話をかけることができる。しかも、表示対象の電子メール情報に含まれる「件名」や「日時（送信日時）」をＩＮＶＩＴＥメッセージのＤｉｓｐｌａｙＮａｍｅに記載して発信することができる。
【０１２３】
そして、着信側の電話端末では、自機宛てのＩＮＶＩＴＥメッセージに含まれるＤｉｓｐｌａｙＮａｍｅの情報を通常通り表示処理する。すなわち、受信側の電話端末には、送信されてくる表示メッセージを表示するために何の変更を行う必要もない。これにより、着信側のユーザは、どのような要件で自己の電話端末に電話がかかってきているのかを応答操作を行う前に知ることができる。したがって、重要な用件の場合には、迅速に応答することができるし、また、応答前に気持ちの準備を整えるなど、より良好な状態で自己への着信に応答することができる。
【０１２４】
［通信履歴の利用］
ところで、図１に示した電話システムにおいて、ＬＡＮ２に接続されたＩＰ電話端末間においては、ＤｉｓｐｌａｙＮａｍｅに例えば「件名」等の所定の情報を記載したＩＮＶＩＴＥメッセージを送受することができる。また、図１に示したように構成され、ＩＰ網６に接続される異なる電話システム間においても、ＤｉｓｐｌａｙＮａｍｅに例えば「件名」等の所定の情報を記載したＩＮＶＩＴＥメッセージを送受することができる。
【０１２５】
このように、同様に形成されるＩＮＶＩＴＥメッセージの送受が可能な電話システムにおいては、電話の発着信が発生する毎に、発着信の相手先、発着信の発生の日時、発信／着信の別、「件名」等を情報とする履歴を形成し、これを保持することができる。また、送信した電子メール情報についても、その送信の発生の日時、件名を情報とする履歴を形成し、これを保持することができる。
【０１２６】
このため、この実施の形態の電話システムでは、電話や電子メールの相手先毎に、電話の発着信履歴と電子メールの送信履歴とを合体させた履歴情報を形成し、これを見ながら電話をかける場合などにおいて利用することができるようにされる。図９は、電話の発着信履歴と電子メールの送信履歴とを合体させた通信履歴情報の例を説明するための図である。
【０１２７】
この実施の形態において、電話の発着信履歴は、ＩＰ電話端末４の例えばＥＥＰＲＯＭ４３４に形成される。この場合、発着信の相手先は、送信したり受信したりしたＩＮＶＡＩＴメッセージに含まれる着信先や発信元の電話番号により特定できる。すなわち、自機からの発信の場合には、発信したＩＮＶＩＴＥメッセージに含まれる着信先の電話番号により相手先を特定できるし、自機への着信の場合には、受信したＩＮＶＩＴＥメッセージの発信元の電話番号により相手先を特定できる。
【０１２８】
また、発着信の発生の日時は、発着信の発生毎に、図５には図示しなかったがＩＰ電話端末４が備える時計回路から取得することができる。また、発信／着信の別は、発着信の発生の都度、制御部４３０において判別する自機の動作状態に応じて把握することができる。また、「件名」は、送信したり受信したりしたＩＮＶＡＩＴメッセージのＤｉｓｐＬａｙＮａｍｅの情報を抽出することにより取得できる。これらの情報をＩＰ電話端末４の制御部４３０が抽出し、電話番号によって区別可能な相手先毎に電話の発着信履歴情報として、例えばＥＥＰＲＯＭ４３４に蓄積する。
【０１２９】
また、電子メールの送信履歴は、この実施の形態において、電子メールの送受を行うのは携帯電話端末５であるため、携帯電話端末５のＥＥＰＲＯＭ５４４に蓄積する。この例の場合、自機から送信した電子メールの送信日時、件名を抽出し、宛先（送信先）毎に蓄積するようにすることによって形成することができる。なお、携帯電話端末５において、自機から送信した電子メール情報を保持しておくことにより、必要に応じて電子メールの送信履歴を形成するようにしてもよい。
【０１３０】
そして、ＩＰ電話端末４と携帯電話端末５とがＵＳＢケーブル８で接続され、携帯電話端末５に対して、目的とする相手先の電話の発着信履歴と電子メールの送信履歴とを合体させた通信履歴情報を表示するための所定の操作が行われたとする。この場合の所定の操作は、例えば、メニューから当該通信履歴情報を表示するための項目を選択した後、目的とする相手先を例えば電話帳データに登録されている相手先の中から選択する操作などである。
【０１３１】
当該所定の操作が行われると、携帯電話端末５の制御部５４０は、目的とする相手先についての電話の発着信履歴の提供要求を形成し、これを外部Ｉ／Ｆ５３２および外部端子５３１を通じてＩＰ電話端末４に送信する。これに応じて、ＩＰ電話端末４の制御部４３０が、ＥＥＰＲＯＭ４３４から目的とする相手先の電話の発着信履歴を抽出し、外部Ｉ／Ｆ４１２および外部端子４１１を通じて携帯電話端末５に提供する。
【０１３２】
携帯電話端末５の制御部５４０は、ＩＰ電話端末４からの電話の発着信履歴と自機が保持する電子メールの送信履歴とを合体すると共に、日時をキーにして並べ変え、これをディスプレイコントローラ５２３を通じてディスプレイ５２４の表示画面に表示する。これにより、図９に示したように、電話の発着信履歴と電子メールの送信履歴とを合体させた履歴情報を表示させることができる。なお、通信履歴情報のデータが多い場合には、携帯電話端末５において、表示をスクロールさせることができるようにされ、その全部を表示してユーザが見ることができるようにされる。
【０１３３】
図９に示した履歴情報は、「第一営業部タナカ」さんとの間の通信履歴情報である。この場合、２０１１年３月３１日（木曜日）の１０時５４分に、「件名」を「来期目標の件」および「Ａ社対応打ち合わせ」として通知した電話による発信を行ったことが示されている。また、その前には、２０１１年３月３０日（水曜日）の１４時２８分に「件名」を「来期目標の件」とする電子メールを送信していることが示されている。
【０１３４】
また、２０１１年３月２２日（火曜日）の１１時０１分に「件名」を「Ａ社対応の件」として通知された電話の着信を受け、２０１１年３月２２日（火曜日）の１０時４５分に「件名」を「Ａ社対応の件」として通知された電話の着信を受けたが、不在で応答できなかったことが示されている。なお、着信に応答しなかった場合には、図９に示したように、ＩＰ電話端末４の制御部４３０により「着信（不在）」として把握され、これが発着信の別を示す情報として管理される。さらに、図９に示した履歴情報の場合には、２０１１年３月２１日（月曜日）の９時３０分に「件名」を「３月２２日のＡ社対応の件について」として通知した電話の発信を行い、２０１１年３月１７日（木曜日）の１７時１５分に「件名」を「Ａ社対応打合せ日程について」とする電子メールを送信していることを示している。
【０１３５】
そして、ＩＰ電話端末４のユーザは、例えば、「第一営業部タナカ」さんに電話をかける前に、図９に示した履歴情報を形成して携帯電話端末５のディスプレイ５２４に表示させる。これにより、今までの「第一営業部タナカ」さんとの間で行った電話や電子メールの通信のやり取りの状態を把握することができ、思い違いなどを生じさせることなく適切に連絡を取ることができるようにされる。
【０１３６】
また、図９に示した履歴情報を携帯電話端末５のディスプレイ５２４に表示し、目的とする表示項目にカーソルを位置付けた状態で、ＩＰ電話端末４のハンドセット４４０を持ち上げるなどの発信操作を行ったとする。この場合、携帯電話端末５は、当該履歴情報の相手先である「第一営業部タナカ」さんの電話番号と、選択されている項目の「件名」として記録されている情報および発着信日時あるいは送信日時とをＩＰ電話端末４に提供する。
【０１３７】
そして、ＩＰ電話端末４では、上述したように、携帯電話端末５から提供される電話番号の相手先に対するＩＮＶＩＴＥメッセージを形成するが、ＤｉｓｐｌａｙＮａｍｅに提供された件名等の情報を記載して発信を行う。これにより、携帯電話端末５の表示画面に履歴情報が表示されている場合にも、上述した電子メール情報が表示されている場合と同様にして、電話をかける相手先を特定し、「件名」などの必要な情報を通知するようにして、目的とする相手先に電話をかけることができる。
【０１３８】
なお、ここでは、説明を簡単にするため、電子メールについては、携帯電話端末５から送信した電子メールの送信履歴を形成するものとして説明したが、これに限るものではない。携帯電話端末５が受信した電子メールについての履歴をも含めるようにし、電子メールの発着信履歴を形成することももちろんできる。電子メールの着信履歴の場合には、相手先は送信者の電子メールアドレスにより特定できるし、日時は、自機が当該電子メールを受信した日時を自機の時計回路から取得することにより把握することができる。また、「件名」などの所定の情報は、受信した電子メール情報から取得することができる。
【０１３９】
［変形例］
なお、上述した実施の形態においては、ＩＰ電話端末４に接続された携帯電話端末５側において、電話帳メモリ５１０の情報を参照し、電話をかける相手先の電話番号を取得するようにした。しかし、これに限るものではない。例えば、ＩＰ電話端末４の電話帳メモリ４１０にも、連絡を取り合う相手先の電子メールアドレスと電話番号とが対応付けられて記憶されているとする。この場合には、携帯電話端末５から電話をかける相手先の電子メールアドレスの提供を受けて、ＩＰ電話端末４側で当該電子メールアドレスに基づいて電話帳メモリ４１０の情報を参照し、電話をかける相手先の電話番号を特定することもできる。
【０１４０】
また、上述した実施の形態においては、携帯電話端末５から送信した電子メールの宛先とされた相手先に電話をかけるものとして説明したが、これに限るものではない。携帯電話端末５が受信した電子メールをディスプレイ５２４に表示している場合には、自機のユーザは受信者であるので、当該電子メールの発信者（発信元）に電話をかけるようにすることもできる。
【０１４１】
また、発信者や宛先以外にも、電子メールには、ＣＣ（Carbon Copy）機能やＢＣＣ（Blind Carbon Copy）機能が用いられて、同じ電子メールが同時に複数の人に送信される場合もある。このような場合であっても、例えば、オフフック操作とオンフック操作とを繰り返すことにより、順次に電話をかける相手先の電子メールを替えて電話帳メモリ５１０を通じて相手先の電話番号を特定し、電話をかけるようにする。
【０１４２】
これにより、同じ電子メールの複数の送信先、あるいは、その電子メールの発信元と自機を除く複数の送信先に対して、順番に電話をかけるようにすることもできる。このように、電話をかける相手先を替える場合であっても、ＩＮＶＩＴＥメッセージのＤｉｓｐｌａｙＮａｍｅに、「件名」などの所定の情報を記載するようにすることによって、電話をかけるようにした相手先に対して、表示メッセージを提供し、要件等を応答操作前に通知することができるようにされる。
【０１４３】
また、作成中の電子メール情報が表示されている場合であっても、少なくとも宛先が指定されると共に、「件名」が入力されていれば、送信したり受信したりした電子メール情報の場合と同様にして発信を行うようにすることができる。すなわち、簡単な操作で当該相手先に電話をかけると共に、「件名」などの所定の情報を送信することができる。
【０１４４】
また、電子メール情報が表示されている場合に、どの情報を相手先に送信するかを選べるようにすることもできる。例えば、「発信者名」と「件名」と「日時（送信日時）」を送信するようにしたり、「件名」だけを送信したりするなどのことも可能である。このような選択は、例えば、携帯電話端末５の操作入力部５２１を通じて行うようにしたり、ＩＰ電話端末４の操作入力部４０８を通じて選択指示を入力し、携帯電話端末５に当該選択指示を送信することにより行うようにしたりすることができる。
【０１４５】
また、上述の実施の形態では、携帯電話端末５のディスプレイ５２４に電子メール情報が表示されているときに、ＩＰ電話端末４においてオフフック操作が行われた場合に、電子メール情報の「件名」などをＤｉｓｐｌａｙＮａｍｅに含めて発信を行うものとした。しかし、これに限るものではない。例えば、携帯電話端末５に対して、表示メッセージ入力画面を設けるようにし、当該表示メッセージ入力画面に対して、操作入力部５２１を通じて、目的とする相手先の電話番号と任意の表示メッセージとを入力できるようにしておく。
【０１４６】
この場合、目的とする相手先の電話番号は、例えば、電話帳データ５１０から選択することができるようにされる。そして、操作入力部５２１を通じて入力された電話をかける相手先の電話番号や任意の表示メッセージは、制御部５４０およびディスプレイコントローラ５２３を通じてディスプレイ５２４に表示されると共に、ＲＡＭ５４３などの所定のメモリにも保持される。
【０１４７】
このように、表示メッセージ入力画面に対して、目的とする相手先の電話番号や任意の表示メッセージが入力された後に、ＩＰ電話端末４においてオフフック操作が行われたとする。この場合に、携帯電話端末５から入力された電話番号と表示メッセージとをＩＰ電話端末４に提供する。そして、ＩＰ電話端末４は、提供された電話番号の相手先に対するＩＮＶＩＴＥメッセージの形成時に、ＤｉｓｐｌａｙＮａｍｅに携帯電話端５からの表示用メッセージを記録して発信する。
【０１４８】
このようにすれば、表示された電子メール情報の「件名」などの所定の情報だけなく、ユーザが目的とする表示メッセージを電話の発信時において相手先に通知することができるようにされる。また、この他にも、表示メッセージとして送信する情報が表示されている場合に、相手先の電話番号を別途入力するようにすれば、目的とする相手先への電話発信時に、表示用のメッセージ情報を当該相手先に送信することもできる。すなわち、目的とする相手先の電話番号は、発信時に入力したり、電話帳メモリから選択したりしたものを用いるようにすることもできる。なお、表示メッセージとして送信可能な表示メッセージのデータ量は、ＤｉｓｐｌａｙＮａｍｅに記載可能な例えば６４文字程度とされる。
【０１４９】
また、携帯電話端末５側に、携帯電話端末５がＩＰ電話端末４に接続された場合におけるＩＰ電話端末としての発信処理機能や着信処理機能を設けるようにすることによって、ＩＰ電話端末４の構成を簡単にすることができる。すなわち、ＩＰ電話端末４に携帯電話端末５が接続された場合においてのみ、ＳＩＰサーバ１の配下の電話端末として機能することができるようにする。
【０１５０】
この場合、携帯電話端末５に発信等処理部４２１を設けるようにすればよい。また、ハンドセット４４０以外のユーザインターフェースは、携帯電話端末５のディスプレイ５２４や操作入力部５２１を用いるようにする。このようにすれば、ＩＰ電話端末４に、ディスプレイコントローラ４１５およびディスプレイ４１６、操作入力部４０８および操作入力Ｉ／Ｆ４０８を設ける必要もないようにすることができる。
【０１５１】
［この発明のプログラム］
なお、上述した実施の形態では、図７において、携帯電話端末５において実行されるものとして示したステップの処理を実行するプログラムが、表示装置に搭載されたコンピュータが実行する電子メール情報提供プログラムに対応する。このプログラムを携帯電話端末などの通信端末に搭載することにより、この発明に用いられる表示装置を実現できる。
【０１５２】
また、図７において、ＩＰ電話端末４において実行される処理として示したステップの処理を実行するプログラムが、ベース装置に搭載されたコンピュータが実行する発信処理プログラムに対応する。このプログラムをＩＰ電話端末等の電話端末に搭載することにより、この発明のベース装置を実現することができる。
【０１５３】
［実施の形態の装置や回路部と、請求項の装置や手段との対応］
また、上述した実施の形態からも明らかなように、携帯電話端末５のディスプレイ５２４が表示手段としての機能を実現し、携帯電話端末５の制御部５４０およびディスプレイコントローラ５２３により表示制御手段としての機能を実現している。また、ＩＰ電話端末４の主にハンドセット４４０、フックスイッチＳＷ、オンフック／オフフック検出部４０６、あるいは、操作入力部４０８のオフフックキーが受付手段としての機能を実現する。また、ＩＰ電話端末４の発信等処理部４２１が発信処理手段としての機能を実現している。
【０１５４】
また、携帯電話端末５の外部端子５３１が表示装置側接続端部としての機能を実現し、ＩＰ電話端末４の外部端子４１１がベース装置側接続端部としての機能を実現している。また、携帯電話端末５の外部Ｉ／Ｆ５３２および制御部５４０が発信通知受付手段としての機能を実現し、携帯電話端末５のメール情報通知処理部５１１が通知手段としての機能を実現している。また、ＩＰ電話端末４Ａの主に制御部４３０および外部Ｉ／Ｆ４１２が発信通知提供手段、提供情報受付手段としての機能を実現している。
【０１５５】
［その他］
上述した実施の形態においては、例えば事業所内に形成される電話システムに提供した場合を例に説明したが、これに限るものではない。家庭に設置されるいわゆるＩＰ電話端末と携帯電話端末とにより構成されるシステムに、この発明を適用することができる。
【０１５６】
また、上述した実施の形態においては、ＩＰ電話端末４と携帯電話端末５とはＵＳＢ規格のインターフェースにより接続したが、これに限るものではない。例えば、ブルートゥース（Bluetooth）規格などの近距離無線通信インターフェースやＩｒＤＡ（Infrared Data Association）規格の赤外線による光無線データ通信インターフェースなどにより接続することも可能である。すなわち、有線、無線を問わず、種々のデジタルインターフェースによって接続することが可能である。
【０１５７】
また、上述した実施の形態においては、携帯電話端末を用いるようにしたが、これに限るものではない。パッド型情報端末やタブレッド型情報端末などと呼ばれる電子メール機能を備えた携帯通信端末や通信機能を備えたノート型パーソナルコンピュータなど、種々の通信端末を用いるようにすることもできる。したがって、携帯電話端末５の操作入力部５２１は、ディスプレイ５２４の表示画面に表示される表示情報と当該表示画面に貼付されるタッチパネルとにより実現されるいわゆるソフトウェアキーボードの構成とされる場合もある。
【０１５８】
また、必ずしもＩＰ電話端末と携帯電話端末などの通信端末とを接続して形成する電話システムに限るものでもない。例えば、電話通信と電子メールの送受が可能な単体の固定電話端末や携帯電話端末にもこの発明を適用することができる。例えば、携帯電話端末において、送信したり、受信したりした電子メール情報を自機のディスプレイに表示して閲覧しているときに、オフフックキーが操作されたとする。
【０１５９】
この場合に、その表示されている電子メール情報に含まれる相手先であって、自分以外の相手先の電話番号をその相手先の電子メールアドレスに基づいて電話帳メモリから特定し、その特定した電話番号の相手先に電話をかけるようにすることも可能である。この時に、ＩＮＶＩＴＥメッセージのＤｉｓｐｌａｙＮａｍｅに、「件名」などの所定の情報を記録して発信を行うようにすればよい。
【符号の説明】
【０１６０】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２…ＬＡＮ、４…ＩＰ電話端末、４０１…ＬＡＮ接続端子、４０２…ＬＡＮＩ／Ｆ、４０３…パケット処理部、４０４…通話音声入出力Ｉ／Ｆ、４０５…ハンドセット接続端子、４０６…オンフック／オフフック検出部、４０７…リンガ、４０８…操作入力部、４０９…操作入力Ｉ／Ｆ、４１０…電話帳メモリ、４１１…外部端子、４１２…外部Ｉ／Ｆ、４１３…充電電流供給回路、４１４…ＡＣコンセント、４１５…ディスプレイコントローラ、４１６…ディスプレイ、４２１…発信等処理部、４２２…端末表示制御部、４３０…制御部、４４０…ハンドセット、５…携帯電話端末、５０１…送受信アンテナ、５０２…電話通信部、５０３…送受信信号処理部、５０４…通話音声処理部、５０５…受話アンプ、５０６…受話器（スピーカ）、５０７…送話器（マイクロホン）、５０８…送話アンプ、５１０…電話帳メモリ、５１１…メール情報通知処理部、５１２…表示情報処理部、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網
【図１】
0005716913.tif 000002
【図２】
0005716913.tif 000003
【図３】
0005716913.tif 000004
【図４】
0005716913.tif 000005
【図５】
0005716913.tif 000006
【図６】
0005716913.tif 000007
【図７】
0005716913.tif 000008
【図８】
0005716913.tif 000009
【図９】
0005716913.tif 000010